(57)【要約】      （修正有）【課題】エネルギー効率の良い、電動車に対して最適化されたドライブトレインを提供する。【解決手段】電動車のドライブトレインは、円錐摩擦要素２８，３８，４０を有する、摩擦係合のノーマルクローズクラッチ２２を、有する。円錐摩擦要素２８，３８，４０は、クローズ位置において、ペアで、互いによりかかりあい、さらに、トルクを伝達する。円錐摩擦要素の円錐角は、３０°未満、好ましくは３°から１５°までの範囲である。円すい摩擦要素の少なくとも一つ、または全ては、有機または金属摩擦ライニングを有する。【選択図】図２
2020024042.tif 000002
【特許請求の範囲】
【請求項１】
摩擦係合クラッチを有する電動車のドライブトレインであって、
クラッチは、
円錐摩擦要素を有するノーマルクローズクラッチであり、
前記円錐摩擦要素は、
クローズ位置において、ペアで、互いに寄りかかりあい、さらに、
トルクを伝達する、
ことを特徴とするドライブトレイン。
【請求項２】
前記クラッチは、
ノーマルクローズ位置において当該クラッチを保持する、少なくとも一つのスプリング要素を含む、
ことを特徴とする請求項１に記載のドライブトレイン。
【請求項３】
前記円錐摩擦要素の円錐角は、
３０°未満であり、好ましくは、３°から１５°までの範囲である、
ことを特徴とする請求項１または請求項２に記載のドライブトレイン。
【請求項４】
前記円錐摩擦要素の少なくとも一つ、または全ては、有機または金属摩擦ライニングを有する、
ことを特徴とする請求項１乃至請求項３の何れか１項に記載のドライブトレイン。
【請求項５】
前記クラッチは、
湿式クラッチである、
ことを特徴とする請求項１乃至請求項４の何れか１項に記載のドライブトレイン。
【請求項６】
変速機を、さらに備え、
前記クラッチは、
前記変速機内において、機械的に組み込まれている、
ことを特徴とする請求項１乃至請求項５の何れか１項に記載のドライブトレイン。
【請求項７】
前記変速機は、
多速変速機であり、
前記クラッチは、
少なくとも一つの駆動ギアの作動のために、設けられる、
ことを特徴とする請求項６に記載のドライブトレイン。
【請求項８】
前記変速機は、
メイン駆動ギアと、少なくとも一つの補助駆動ギアとを有し、
前記ノーマルクローズクラッチは、
前記メイン駆動ギアの作動のために、設けられ、
少なくとも一つのノーマルオープンクラッチは、
前記少なくとも一つの補助駆動ギアの作動のために、設けられる、
ことを特徴とする請求項７に記載のドライブトレイン。
【請求項９】
前記変速機は、
単速変速機である、
ことを特徴とする請求項６に記載のドライブトレイン。
【請求項１０】
請求項１乃至請求項９の何れか１項に記載のドライブトレインを有する、電動車。
【請求項１１】
請求項８に記載のドライブトレインを有する電動車であって、
電動制御システムと、
電動モータとを、備え、
前記電動モータおよび前記変速機は、
前記メイン駆動ギアが、９０ｋｍ／ｈ、好ましくは１００ｋｍ／ｈ、特に１１０ｋｍ／ｈまでの駆動速度のために設けられ、前記変速機が、当該駆動速度を超えて、前記補助駆動ギアにシフトされる、ように設計されている、
ことを特徴とする電動車。
【発明の詳細な説明】
【技術分野】
【０００１】
本発明は、摩擦係合クラッチを有する電動車のドライブトレイン、および当該ドライブトレインを有する電動車に関する。
【背景技術】
【０００２】
技術水準から、電動車は知られている。電動車は、車の駆動のために備えられた電動原動機または電動モータ、および、通常、駆動のためのエネルギーを供給する走行用バッテリーを有する。
【０００３】
さらに、技術水準から、当該車に対するドライブトレインは知られている。
【０００４】
コストおよび設置スペースの観点により、車内で利用される走行用バッテリーの容量は限られているので、電動車が長距離を移動することができるためには、システム効率が、電気移動において最も重要である。ここで、これらの車のドライブトレインは、内燃エンジンおよび従来のドライブトレインを有する車の場合よりも、さらにいっそう重要である。
【０００５】
使用可能容量をできる限り効率よく利用するために、多速変速機を有するドライブトレインが使われている。多速変速機により、できるだけ効率のよい動作点で、電動車を動作させることができる。不利な影響としは、ギア内におけるシフトおよび摩擦係合ホールドに要求される、必要なエネルギーがある。
【発明の概要】
【発明が解決しようとする課題】
【０００６】
したがって、本発明の目的は、特にエネルギー効率のよい、電動車に対して最適化されたドライブトレインを提供することである。さらに、本発明の目的は、長い走行距離を有する電動車を提供することである。
【課題を解決するための手段】
【０００７】
当該目的を達成するために、少なくとも一つのクラッチを有する、電動車のドライブトレインが提供される。ここで、当該クラッチは、閉位置で対となって互いに寄りかかり合い、トルクを伝達する複数の円錐摩擦要素を有する、ノーマルクローズクラッチである。ノーマルクローズクラッチは、基本状態では閉じており、開くために作動されなければならない、クラッチである。閉じた状態でクラッチをホールドするために、ほんの小さな力、より具体的にはゼロ、が印加される必要があり、このことは、ドライブトレインが特にエネルギー効率が良い、ということを意味する。円錐摩擦要素は、機械的負荷増幅を形成し、これを介して、摩擦表面の数およびサイズを減らすことができる。たとえば、この態様では、総摩擦面を、円錐摩擦要素を有さない比較クラッチと比較して、８０％を超えて減らすことができる。同様に、クラッチのドラックトルクだけでなく、クラッチを作動するのに必要なクローズ力またはホールド力も、減少する。たとえば、円錐摩擦要素を有さない比較クラッチと比較して、作動力を６０％減少することができる。電動車は、少数のドライブギアのみを通常有するので、当該ドライブトレインは、電動車に特に適する。このため、ギア間のシフトは、走行中、比較的まれに実行されるのみであり、その結果、クラッチの閉じられた期間は、比較的長くなり、予測可能である。よって、ノーマルクローズクラッチの使用は、特にエネルギー効率の良いドライブトレインにつながり、これにより、電動車の走行距離を増加することができる。
【０００８】
好ましくは、クラッチは、ノーマルクローズ位置でクラッチをホールドする、少なくとも一つのスプリング要素を備える。クラッチの閉状態がスプリング要素により達成されるので、当該機械的負荷増幅を通して、ホールド力は、低くおよび一定に維持されることが可能である。特に、閉じた状態のために、外部エネルギーは必ずしも必要でない、つまり、クラッチの閉を保持するために、エネルギーが消費される必要はない。よって、より多くのエネルギーを移動のために利用することができ、その結果、車の走行距離が増大する。
【０００９】
摩擦トルクは、次式により定義される。
2020024042.tif 000003
ここで、
ＭＲ：摩擦トルク
ＦＳ：シフト力
μ：摩擦係数
ｄｍ：平均摩擦径
ｉ：摩擦面の数
α：円錐角
である。
【００１０】
よって、機械的負荷増幅の伝達率は、摩擦要素の円錐角を介して、変化させることができる。
【００１１】
したがって、必要なホールド力を特に低く維持するために、摩擦要素の円錐角が３０°未満、好ましくは３°〜１５°の範囲内であるなら、有利である。
【００１２】
円錐摩擦要素の少なくとも一つ、具体的には全てが、特に高い摩擦係数を有する、有機系摩擦ライニングを有する、としてもよい。
【００１３】
追加的に又は選択的に、円錐摩擦要素の少なくとも一つ、具体的には全てが、特に頑丈な金属摩擦ライニングを有する、としてもよい。
【００１４】
実施の形態によれば、クラッチは、特に低摩耗性であり、また対応してオイルにより冷却され得る、湿式クラッチである。
【００１５】
更なる実施の形態によれば、ドライブトレインは変速機を含む。当該変速機において、異なる動作状態間での切り替えのために、クラッチは、機械的に組み込まれている。
【００１６】
変速機は、多速変速機であってもよい。ここで、少なくとも一つの駆動ギアの作動のために、クラッチが設けられている。特定の運転状況の異なる要求に適合した、異なる駆動ギアを、提供することができるという利点を、多速変速機は有する。この場合において、駆動ダイナミックと共に乗心地を向上することができる。
【００１７】
実施の形態において、変速機は、メイン駆動ギアと少なくとも一つの補助駆動ギアとを有する。ここで、メイン駆動ギアの作動のために、ノーマルクローズクラッチが設けられ、少なくとも一つの補助駆動ギアの作動のために、少なくとも一つのノーマルオープンクラッチが設けられる。ノーマルオープンクラッチは、基本状態でオープンであり、クローズのために作動されるクラッチである。メイン駆動ギアは、普通または通常の駆動モードにおいて大抵の時間（好ましくは動作時間の５０％より大きく、特に動作時間の８０％より大きい）係合される、ギアである。これは、対応する車のクラスの駆動プロファイルに応じて変わり得る。シティカーの場合には、たとえば、メイン駆動ギアは、低速度範囲（たとえば、０〜６０ｋｍ／ｈの間）での駆動速度のために設けられるギアである。都市間および／または高速道路ドライブが主要な割合を占めている駆動プロファイルを有する車の場合には、メイン駆動ギアは、たとえば、高速範囲（たとえば、６０ｋｍ／ｈを超える）での駆動速度のために設けられるギアである。メイン駆動ギアのノーマルクローズクラッチは、クローズ状態で係合されるので、車は、動作モードにおいて、かなりエネルギー効率良く、駆動される。当該動作モードは、車の駆動のために主に使用されるので、このようにして、車の走行範囲の特に大きな増加を、得ることができる。
【００１８】
別の実施の形態において、変速機は、単速変速機である。ここで、ノーマルクローズ位置において、クラッチの手段により、駆動ギアは、係合位置で保持される。当該ドライブトレインは、とても単純でコンパクトな態様で構成することができる、という利点を有する。このことは、費用効率がよく、軽量なドライブトレインを製造することができる、ということを意味する。
【００１９】
ここで、ノーマルクローズクラッチは、ドライブトレインへのダメージに対する保護のためのセーフティクラッチとして、提供される。
【００２０】
追加的に又は選択的に、セイリングモード中のＰＳＭ（永久磁石同期電動機）のドラックトルクを避けるために、電動車は、分離される。
【００２１】
本発明によれば、本発明に係るドライブトレインを有する電動車も、上記目的を達成するために提供される。高エネルギー効率なドライブトレインのために、当該車は、大きな走行距離を有する。
【００２２】
本発明に係るドライブトレインを有する電動車により、上記目的は、さらに達成される。ここで、当該車は、電気制御システムと電動モータとを有する。９０ｋｍ／ｈに達する駆動速度、好ましくは１００ｋｍ／ｈ、特には１１０ｋｍ／ｈに達する駆動速度のために、メイン駆動ギアが設けられ、変速機が、より速い駆動速度で補助駆動ギアにシフトされるように、電動車および変速機は設計されている。この結果として、メイン駆動ギアが係合される高エネルギー効率動作モードは、道路におけるシティおよび都市間の両方（通常、車の主要な使用を構成する）の移動を含む。このようにして、特に非常に広走行範囲を達成することができる。
【図面の簡単な説明】
【００２３】
さらなる利点および特徴は、添付図面と共に、後述の記載により明らかにされる。図１〜３に示されているものである。
【００２４】
【図１】ノーマルクローズクラッチを有する変速機を含む、本発明に係るドライブトレインを有する、本発明に係る電動車を示す、概略図である。
【図２】クローズ位置にある図１に示すノーマルクローズクラッチを示す、断面図である。
【図３】オープン位置にある図１に示すノーマルクローズクラッチを示す、断面図である。
【発明を実施するための形態】
【００２５】
図１は、ドライブトレイン１２、電動制御システム１４、およびけん引用バッテリー１６を有する電動車１０を示す。けん引用バッテリー１６は、車１０を駆動するための電気エネルギーを提供する。
【００２６】
ドライブトレイン１２は、電動モータ１８および変速機２０を含む。電動モータ１８は、車１０の駆動を形成し、変速機（ギアボックス）２０は、電動モータ１８に接続されている。
【００２７】
変速機２０は、ノーマルクローズクラッチ２２およびノーマルオープンクラッチ２４を有する、２速変速機である。ノーマルクローズクラッチ２２は、メイン駆動ギアのために設けられ、ノーマルオープンクラッチ２４は、補助駆動ギアのために設けられる。
【００２８】
当然に、変速機２０は、１つののみギアを持っていいてもよく、また２つより多くのギアを持っていてもよい。すべての実施の形態において、単速変速機の場合において単一ギアを示す、メイン駆動ギアは、ノーマルクローズクラッチ２２により、設けられる。多速変速機の場合において、すべてのさらなるギアは、対応するノーマルオープンクラッチ２４を介して実現され、また各補助駆動ギアを形成する。
【００２９】
全ての場合において、一般的にバックギアとしても言及されるバック走行モードは、電動モータ１８の回転方向を反対にすることにより、提供され、この結果、如何なる個別のクラッチも、当該目的のために必要とされない。
【００３０】
当該バック走行モードは、メイン駆動ギアおよび補助駆動ギアに加えて、提供される。このことは、「単速」または「多速」は、特に駆動ギアのみに言及する、ということを意味する。当該駆動ギアは、前進方向Ｖで車１０を駆動するために、配設される。
【００３１】
図２，３を参照して、ノーマルクローズクラッチ２２の構成および機能を、下記において詳述する。ノーマルクローズクラッチ２２は、第二のシャフト（図示せず）への第一のシャフトのトルク伝達接続のために設けられ、さらに共通回転軸Ｒに関して同心状に構成される。
【００３２】
電動モータ１８の駆動方向に応じて、第一のシャフトは駆動シャフトであり、第二のシャフトは出力シャフトであり、逆もまた同様である。
【００３３】
ノーマルクローズクラッチ２２は、湿式クラッチであり、第一の円錐摩擦要素２８を有する外側キャリア２６と、カウンタ支持部３２、軸停止部３４および圧力要素３６を有する内部キャリア３０とを含む。圧力要素３６は、軸方向Ａに移動可能に、載置されている。
【００３４】
他の実施の形態において、ノーマルクローズクラッチ２２は、非湿式であるように設計されてもよい。
【００３５】
カウンタ支持部３２は、第二の円錐摩擦要素３８を有し、圧力要素３６は、第三の円錐摩擦要素４０を有する。
【００３６】
内側における第一の円錐摩擦要素２８は、外側キャリア２６を介して、トルク伝達の態様で、第一のシャフトに接続され、外側における第二、三の円錐摩擦要素３８，４０は、内側キャリア３０を介して、トルク伝達の態様で、第二のシャフトに接続されている。
【００３７】
さらに、第一の円錐摩擦要素２８は、外側において第一の円錐摩擦面４２を有し、内側において第二の円錐摩擦面４４を有する。第二の円錐摩擦面４４は、第一の円錐摩擦面４２に対向して配置されており、いずれの場合にも、両円錐摩擦面４２，４４は、有機摩擦ライニング（裏地）４６により形成される。
【００３８】
追加的に又は選択的に、円錐摩擦面４２，４４は、少なくとも部分的に異なる材料（特に、金属摩擦ライニング）により形成されてもよい。
【００３９】
第二の円錐摩擦要素３８は、内部円錐摩擦面４８を有し、第三の円錐摩擦要素４０は、外部円錐摩擦面５０を有する。いずれの場合にも、両円錐摩擦面４８，５０は、金属摩擦ライニング５２により形成される。
【００４０】
追加的に又は選択的に、円錐摩擦面４８，５０は、少なくとも部分的に異なる材料（特に、有機摩擦ライニング）により形成されてもよい。
【００４１】
円錐摩擦面４２，４４，４８，５０と同様に、円錐摩擦要素２８，３８，４０は、同じ円錐角α（図２参照）を有し、互いに対して同心状に配置されており、結果として、円錐摩擦面４２，４４，４８，５０は、ペアでの各場合において、全ての点で、互いから等距離の位置にある。このことは、図２，３で表されているように、円錐摩擦面４２，４４，４８，５０の交差部分は、軸方向断面の場合において、互いに平行に走っている、ということを意味する。
【００４２】
さらに、第二の円錐摩擦要素３８と第三の円錐摩擦要素４０との間に、第一の円錐摩擦要素２８が配置されており、これにより、内部円錐摩擦面４８は、第一の円錐摩擦面４２と対向して配置され、外部円錐摩擦面５０は、第二の円錐摩擦面４４と対向して配置される。
【００４３】
原則として、クラッチ２２は、所望の数の円錐摩擦要素２８，３８，４０を有することができ、円錐摩擦要素２８，３８，４０の円錐摩擦面４２，４４，４８，５０は、ペアでの各場合において、互いに対向して配置される。
【００４４】
円錐角αは、３０°よりも小さい。また、円錐角αは、０°〜９０°間の所望の値をとることができるが、好ましくは、３°〜１５°の範囲にあり、これは、特に好ましい機械負荷増幅が当該範囲で達成されるからである。
【００４５】
ノーマルクローズクラッチ２２は、さらに、スプリング要素５４を有する。スプリング要素５４は、軸方向Ａにおいて、軸停止部３４と圧力要素３６との間に配置され、軸方向Ａにおいて、スプリング要素５４は、圧力要素３６にスプリング力を発揮する。
【００４６】
スプリング力Ｆはとても大きいので、圧力要素３６は、軸方向Ａにおいて、互いに対向して、円錐摩擦要素２８，３８，４０を押し、ペアでの各場合において互いに対向する円錐摩擦面４２，４４，４８，５０は、トルク伝達の態様で、相互に寄りかかる。
【００４７】
このようにして、第一のシャフトは、トルク伝達の態様で、第二のシャフトに接続され、ノーマルクローズクラッチ２２は、閉じられる（図２参照）
【００４８】
ノーマルクローズクラッチ２２をオープン位置に動かすために（図３参照）、スプリング力Ｆよりも大きな作用力Ｂが、軸方向Ａに反して、圧力要素３６に発揮される。
【００４９】
これにより、圧力要素３６は押圧され、軸方向Ａに反して、カウンタ支持部３２から離される。この結果として、互いに対向して、円錐摩擦要素２８，３８，４０は、もはや圧圧されず、ペアでの各場合において互いに対向する円錐摩擦面４２，４４，４８，５０は、トルク伝達の態様で、もはや相互に寄りかからない。
【００５０】
よって、トルク伝達の態様で、第一のシャフトは、第二のシャフトにもはや接続されず、ノーマルクローズクラッチ２２はオープンとなる。
【００５１】
ノーマルオープンクラッチ２４は、ノーマルクローズクラッチ２２に類似して設計される。ここで、ノーマルオープンクラッチ２４は、対応するスプリング要素により、オープン位置で保持され、対応する作用力を介してクローズされる。
【００５２】
当然、所望のノーマルオープンクラッチ２４を、特に円錐摩擦要素なしで、選択的に設けてもよい。
【００５３】
ドライブトレイン１２は、次のように設計される。つまり、車１０は、メイン駆動ギアで（すなわち、ノーマルクローズクラッチ２２のクローズとノーマルオープンクラッチ２４のオープンとにより）、走行速度１００ｋｍ／ｈまで駆動し、さらに、より速い走行速度で、制御システム１４が補助駆動ギアと係合し、この場合において、ノーマルオープンクラッチ２４はクローズとなり、ノーマルクローズクラッチ２２はオープンとなる。
【００５４】
他の実施の形態において、メイン駆動ギアは、他の走行速度（たとえば、９０ｋｍ／ｈまでの走行速度または１１０ｋｍ／ｈまでの走行速度）のために設けられてもよい。
【００５５】
クローズ位置において、ノーマルクローズクラッチ２２を保持できるほど、スプリング力Ｆは十分に大きいので、外力はメイン駆動ギアに対して印加される必要がない。結果、後者は、高エネルギー効率となる。
【００５６】
さらに、円錐摩擦要素２８，３８，４０は、機械負荷増幅をもたらし、結果、比較的小さい力のみが、シフトのために必要となる。スプリング力Ｆと作用力Ｂとは、これにより、低く維持でき、この結果として、エネルギー効率をさらに向上される。
【００５７】
ノーマルクローズクラッチ２２の場合において、スプリング要素５４を介して、クローズ状態が作り出されるため、当該スプリング要素５４のプリテンションは、同時に、伝達される最高トルクを規定する。このようにして、ノーマルクローズクラッチ２２は、セーフティクラッチとして設計される。当該セーフティクラッチは、非常に高い負荷からおよびダメージから、ノーマルクローズクラッチ２２を保護することができる。
【００５８】
加えて、セイリング機能が設けられてもよい。当該セイリング機能において、制御システム１４は、駆動が必要でない走行状態で、クラッチ２２，２４をオープンにする。結果、電動モータ１８は、分離される。当該分離は、車１０が、電動モータ１８のけん引トルクにより、不必要にブレーキがかけられることを、防止する。
【００５９】
このようにして、ドライブトレイン１２は、高エネルギー効率となり、電動車１０は、特に広範囲の走行距離を有する。
【００６０】
本発明は、示された実施の形態に限定されない。特に、示されてなく、対応する実施の形態の他の特徴に関係なく、一つの実施の形態の個別の特徴は、本発明に係る他の実施の形態に、含まれてもよい。すなわち、記載された特徴を、必要に応じて、組み合わせることができる。
【図１】
2020024042.tif 000004
【図２】
2020024042.tif 000005
【図３】
2020024042.tif 000006
【外国語明細書】
2020024042.tif 000007
2020024042.tif 000008
2020024042.tif 000009
2020024042.tif 000010
2020024042.tif 000011
2020024042.tif 000012
2020024042.tif 000013
2020024042.tif 000014
2020024042.tif 000015
2020024042.tif 000016
2020024042.tif 000017
2020024042.tif 000018
2020024042.tif 000019
2020024042.tif 000020